(57)【要約】
【課題】軽量で、使用後は分解してコンパクトな折り畳み状態で搬送でき、適数回使用した後の廃棄、再利用も容易であり、輸送時等の落下衝撃を効果的に緩衝することができ、精密機器の輸送、保管に極めて有用な新規な紙製梱包容器を提供する
【解決手段】　紙製の胴部１の下面に紙製パレット４を着脱自在に装着する。紙製パレット４は、天板１０と底板１１の間に桁部材１２，１３を配設してなる。桁部材１２，１３は天板１０と底板１１間の空間部内の適宜複数箇所に横向きに固定された角筒状の紙製スペーサ部材１４，１４’と、各スペーサ部材の中に軸心を横向きにして嵌入状に固定された適宜数の紙管からなる紙製緩衝部材１５から形成され、紙管の緩衝機能により、精密機器輸送中の落下衝撃を効果的に緩衝することができた。
【選択図】　図１
0003100345.tif 000002
【実用新案登録請求の範囲】
【請求項１】
　少なくとも角筒状に形成された紙製の胴部と、該胴部の下面開口部を塞ぐ紙製パレットと、前記胴部に一体又は着脱自在に設けられ該胴部の上面開口部を塞ぐ紙製の蓋部材を備え、
　前記紙製パレットが天板と底板の間に桁部材を配設してなり、該桁部材が、前記天板と底板間の空間部内の適宜複数箇所に横向きに固定された角筒状の紙製スペーサ部材と、各スペーサ部材の中に軸心を横向きにして嵌入状に固定された適宜数の紙管からなる紙製緩衝部材から形成されていることを特徴とする精密機器用紙製梱包容器。
【請求項２】
　前記桁部材が、少なくとも前記紙製パレットの四隅コーナー部に配設されており、隣り合わせる桁部材相互間にフォーク差し込み用の隙間を保持して、前記紙製パレットを、フォークが四方から差し込み可能な四方差しパレットとしたことを特徴とする請求項１記載の精密機器用紙製梱包容器。
【請求項３】
　前記スペーサ部材中に前記紙管が並列状に複数固定されており、各スペーサ部材中に固定される紙管の数が、被梱包物の重量バランスに応じて、適宜数に選択されたものであることを特徴とする請求項１又は２記載の精密機器用紙製梱包容器。
【請求項４】
　前記紙管が、大径紙管内に小径紙管を挿入し固定してなる内外二重管であり、小径紙管の下端部を大径紙管の内周下端部に固定して、前記大小の紙管の上端部間に衝撃緩衝用の隙間を形成したことを特徴とする請求項１〜３のいずれか１項記載の精密機器用紙製梱包容器。
【請求項５】
　前記胴部の下面開口部に対し前記紙製パレットが着脱自在に装着されると共に、前記胴部が折り畳み自在に形成されていることを特徴とする請求項１〜４のいずれか１項記載の精密機器用紙製梱包容器。
【請求項６】
　前記胴部が前記蓋部材としての蓋フラップを一体に有する折り畳み自在な段ボール箱からなり、折り畳んだ該胴部と前記紙製パレットとを別個に搬送可能に形成したことを特徴とする請求項５記載の精密機器用紙製梱包箱。
【請求項７】
　前記胴部の上面開口部を塞ぐ紙製の蓋部材を備え、該蓋部材を前記胴部の上面開口部に着脱自在に装着する上側ジョイント部材と、前記胴部の下面開口部に前記紙製パレットを着脱自在に装着する下側ジョイント部材を共通部材とし、折り畳んだ前記胴部を紙製パレット上に載置すると共に該紙製パレットに前記蓋部材を前記上側又は下側ジョイント部材で装着して、蓋部材と胴部と紙製パレットを一組で搬送可能に形成したことを特徴とする請求項５記載の精密機器用紙製梱包箱。
【請求項８】
　天板と底板の間に桁部材を配設してなり、該桁部材が、前記天板と底板間の空間部内の適宜複数箇所に横向きに固定された角筒状の紙製スペーサ部材と、各紙製スペーサ部材の中に軸心を横向きにして嵌入状に固定された適宜数の紙管からなる紙製緩衝部材から形成されていることを特徴とする紙製梱包容器用の紙製パレット。
【考案の詳細な説明】
【技術分野】
【０００１】
　本考案は、例えばテレビ、洗濯機、電子レンジなどの電化製品、パーソナルコンピュータ、プリンター、コピーなどのＯＡ機器、その他、電子部材を搭載した精密機器を輸送する際に用いる紙製の梱包容器に関し、特に、これら精密機器の輸送中に万一落下したとしても、内部に収容された精密機器（被梱包物）が故障したり損傷するような虞れのない、板紙や段ボール，多層段ボール等の紙材からなる紙製梱包容器に関する。
【背景技術】
【０００２】
　従来から、例えば特許文献１に開示されるように、筒状胴部と、該胴部の上面開口部を塞ぐ蓋部材と、下面開口部を塞ぐ底部材とを段ボール等の紙材で形成してなり、木材や金属からなる梱包容器に比べ軽量であって、使用後は各部材に分解してコンパクトに折り畳んだ状態で搬送することができ、適数回使用した後の廃棄、再利用も容易である紙製の梱包容器が知られている。
【０００３】
【特許文献１】実開平５−４４８９４号公報（図３参照）
【考案の開示】
【考案が解決しようとする課題】
【０００４】
　この種梱包容器で輸送する物品として、例えばテレビ、洗濯機、電子レンジなどの電化製品や、デスクトップ型パーソナルコンピュータ、プリンター、コピーなどのＯＡ機器といった、比較的重量物である精密機器が挙げられるが、これら電化製品、ＯＡ機器などは近年、高性能化、多機能化、自動化が顕著であり、多くの電子部材を搭載することから、輸送時に落下衝撃などが加わると故障につながる虞れが高くなりつつある。これに伴い、紙製梱包容器に対しても、前述した各種の利便性に加え、落下衝撃に対する緩衝性能が要求されている。
【０００５】
　しかし、従来の紙製梱包容器は、天板と底板の間に桁部材を配設した紙製パレットで底部材を形成し、桁部材としては、多数の板紙を貼り合せて形成した足桁が主に用いられており、足桁の強度が大きいため、輸送時の落下衝撃が被梱包物に加わって、電子部材が損傷する虞れがあった。
【０００６】
　本考案はこのような従来事情に鑑みてなされたもので、その目的とする処は、木材や金属からなる梱包容器に比べ軽量であって、使用後は各部材に分解してコンパクトに折り畳んだ状態で搬送することができ、適数回使用した後の廃棄、再利用も容易であり、しかも、輸送時等の落下衝撃を効果的に緩衝することができ、精密機器の輸送、保管に極めて有用な新規な紙製梱包容器と、該紙製梱包容器に用いられる紙製パレットを提供することにある。
【課題を解決するための手段】
【０００７】
　以上の目的を解決するために、本考案に係る精密機器用紙製梱包容器は、請求項１では、少なくとも角筒状に形成された紙製の胴部と、該胴部の下面開口部を塞ぐ紙製パレットと、前記胴部に一体又は着脱自在に設けられ該胴部の上面開口部を塞ぐ紙製の蓋部材を備え、
　前記紙製パレットが天板と底板の間に桁部材を配設してなり、該桁部材が、前記天板と底板間の空間部内の適宜複数箇所に横向きに固定された角筒状のスペーサ部材と、各スペーサ部材の中に軸心を横向きにして嵌入状に固定された適宜数の紙管からなる紙製緩衝部材から形成されていることを特徴とする。
【０００８】
　請求項２では、前記桁部材が、少なくとも前記紙製パレットの四隅コーナー部に配設されており、隣り合わせる桁部材相互間にフォーク差し込み用の隙間を保持して、前記紙製パレットを、フォークが四方から差し込み可能な四方差しパレットとしたことを特徴とする。
【０００９】
　請求項３では、前記スペーサ部材中に前記紙管が並列状に複数固定されており、各スペーサ部材中に固定される紙管の数が、被梱包物の重量バランスに応じて、適宜数に選択されたものであることを特徴とする。
【００１０】
　請求項４では、前記紙管が、大径紙管内に小径紙管を挿入し固定してなる内外二重管であり、小径紙管の下端部を大径紙管の内周下端部に固定して、前記大小の紙管の上端部間に衝撃緩衝用の隙間を形成したことを特徴とする。
【００１１】
　請求項５では、前記胴部の下面開口部に対し前記紙製パレットが着脱自在に装着されると共に、前記胴部が折り畳み自在に形成されていることを特徴とする。
【００１２】
　請求項６では、前記胴部が前記蓋部材としての蓋フラップを一体に有する折り畳み自在な段ボール箱からなり、折り畳んだ該胴部と前記紙製パレットとを別個に搬送可能に形成したことを特徴とする。
【００１３】
　請求項７では、前記胴部の上面開口部を塞ぐ紙製の蓋部材を備え、該蓋部材を前記胴部の上面開口部に着脱自在に装着する上側ジョイント部材と、前記胴部の下面開口部に前記紙製パレットを着脱自在に装着する下側ジョイント部材を共通部材とし、折り畳んだ前記胴部を紙製パレット上に載置すると共に該紙製パレットに前記蓋部材を前記上側又は下側ジョイント部材で装着して、蓋部材と胴部と紙製パレットを一組で搬送可能に形成したことを特徴とする。
【００１４】
　また、本考案に係る紙製パレットは、請求項８記載のように、天板と底板の間に緩衝部材を配設してなり、該緩衝部材が、前記天板と底板間の空間部内の適宜複数箇所に横向きに固定された四角筒状のスペーサ部材と、該スペーサ部材の中に軸心を横向きにして嵌入状に固定された適宜数の紙管とから形成されていることを特徴とする。
【考案の効果】
【００１５】
　本考案は以上のように構成したので、以下のような効果を奏する。
　（請求項１）
　胴部、蓋部材、パレットが紙製であり、従来の木製、金属製の梱包容器に比べ軽量のため輸送作業を大幅に効率化でき、また、使用後は各部材に分解してコンパクトに折り畳んだ状態で搬送することができ、適数回使用した後の廃棄、再利用も容易であり、しかも、紙製パレットの適所に、横向きに固定された適宜数の紙管からなる紙製緩衝部材を配置させたので、これら紙管による衝撃緩衝機能により輸送中の落下衝撃を効果的に緩衝、吸収して、精密機器の輸送、保管に極めて有用に用いることができる新規な紙製梱包容器を提供できた。
【００１６】
　（請求項２）
　前記効果に加え、隣り合わせる桁部材の間にフォーク差し込み用の隙間を保持して、四方からフォークを差し込むことができる四方差しタイプの紙製パレットを備えた梱包容器とすることができた。
【００１７】
　（請求項３）
　夫々の桁部材における紙管（紙製緩衝部材）の数を適宜に選択することで、各桁部材による緩衝機能を任意に調節して、例えば、大画面テレビのような重量バランスが前側（ブラウン管側）に偏った被梱包物に対しても、緩衝機能が大きすぎたり小さすぎたりするようなことなく、被梱包物毎に対応した適宜な緩衝性を発揮することができる。よって、請求項１による効果をより実効あるものとすることができた。
【００１８】
　（請求項４）
　紙製緩衝部材を内外二重の紙管によってより大きな緩衝機能を得ることができ、例えば洗濯機やクーラーなどの相当な重量物の輸送、保管にも対応可能な紙製梱包容器を提供することができた。
【００１９】
　（請求項５）
　使用後の空状態において、胴部と紙製パレットを分割すると共に、胴部を折り畳んだコンパクトな形態で搬送することができ、輸送コストを軽減し得るリターナブル容器として供することができた。
【００２０】
　（請求項６）
　蓋フラップを備えた段ボール箱で胴部を構成したので、より低コストで作製し得る紙製梱包容器とすることができた。
【００２１】
　（請求項７）
　使用後の空状態において、蓋部材、胴部、紙製パレットに分割すると共に、折り畳んだ胴部を紙製パレット内に収容し蓋部材で閉蓋した極めて折り畳んだコンパクトな形態で搬送することができ、輸送コストを大幅に軽減し得るリターナブル容器として供することができた。
【００２２】
　（請求項８）
　前記した効果を有する紙製梱包容器に用いる紙製パレットとして好適に供することができた。
【考案を実施するための最良の形態】
【００２３】
　以下、本考案に係る紙製梱包容器と紙製パレットの実施形態の例を、図面を参照して説明する。
【実施例１】
【００２４】
　図１〜図５に示す紙製梱包容器は、例えば大画面テレビなどの精密機器（被梱包物）１００を輸送、保管するものであって、四角筒状に形成されると共に蓋部材としての蓋フラップ２を一体に有する折り畳み自在な段ボール箱からなる胴部１と、胴部１の下面開口部３を塞ぐ紙製パレット４と、内部に収容した被梱包物１００を係止するための紙製の係止部材５，６などを備えてなる。
【００２５】
　紙製パレット４は、天板１０と底板１１の間に桁部材１２，１３を配設してなる。
　桁部材１２は、天板１０と底板１１間の空間部内の適宜複数箇所に横向きに固定された角筒状の紙製スペーサ部材１４と、各スペーサ部材１４の中に軸心を横向きにして嵌入状に固定された三本の紙製緩衝部材１５から形成されている。
　桁部材１３は、天板１０と底板１１間の空間部内の適宜複数箇所に横向きに固定された角筒状の紙製スペーサ部材１４’と、各スペーサ部材１４’の中に軸心を横向きにして嵌入状に固定された二本の紙製緩衝部材１５から形成されている。
【００２６】
　また、これら桁部材１２，１３は、紙製パレット４の四隅コーナー部に配設されると共に、隣り合わせる桁部材１２，１２同士、１３，１３同士の間にも各々桁部材１２，１３を配設して、紙製パレット４の前端側に桁部材１２が、後端側に桁部材１３が、夫々三つずつ並ぶように形成されている。
【００２７】
　また、隣り合わせる桁部材１２，１３同士の間には、フォークリフトのフォークが差し込まれる隙間Ｓを形成して、該フォークが四方から差し込み可能な四方差しタイプの紙製パレット４が構成されている。
【００２８】
　紙製緩衝部材１５は、所定の緩衝機能を発揮するよう適宜長さ，内径，厚みをもって形成された紙管からなり、これら紙管を、前記したような所定箇所に所定数配設することで、被梱包物１００を輸送、保管するに適した緩衝性を奏する紙製パレット４が構成されている。
　すなわち、スペーサ部材１４，１４’中には、被梱包物１００の重量バランスに応じて、適宜数に選択された紙製緩衝部材（紙管）１５が並列状に複数固定されており、本例では、被梱包物１００が大画面テレビであって後側に比べ前側（ブラウン管側）が重いため、紙製パレット４の前端側には紙製緩衝部材１５が三本内設された桁部材１２を三つ配設し、後端側には紙製緩衝部材１５が二本内設された桁部材１３を三つ配設した、大画面テレビ用の紙製パレット４が構成されている。
【００２９】
　紙製緩衝部材１５は、図３（イ）に示すように一本の紙管で構成しても良いし、図３（ロ）に示すように二本の紙管からなる紙製緩衝部材１５’としても良い。
　この紙製緩衝部材１５’は、大径紙管１５ａ内に小径紙管１５ｂを挿入し固定してなる内外二重管であり、小径紙管１５ｂの下端部と大径紙管１５ａの内周下端部を接着剤等で相互に固定した固定部１５ｃとすると共に、これら大小の紙管１５ａ，１５ｂの上端部間に衝撃緩衝用の隙間Ｃを形成して、一本の紙管からなる紙製緩衝部材１５に比べ大きな緩衝機能が得られるよう構成されている。
【００３０】
　また、紙製パレット４は、天板１０の四辺に折線を介して連結片１６を備え、各連結片１６には、胴部１の四側面の下縁近傍に形成された連結孔１７に対応する連結孔１８を形成し、それら連結孔１７，１８同士をジョイント部材１９で連結して、胴部１の下面開口部３に対し紙製パレット４が着脱自在に装着されている。
　尚、図中の２０は胴部１の蓋フラップ２の閉蓋状態を維持するための封緘用のテープである。
【００３１】
　以上の構成になる本例の紙製梱包容器は、紙製パレット４を胴部１の下面開口部３に挿着して組み立てられ、内部に被梱包物１００を収容した上で、蓋フラップ２を閉じてテープ２０で封緘した状態で輸送、保管に供される。
　このような梱包形態によれば、梱包容器が紙製であることから、木材や金属からなる梱包容器を用いた場合に比べ軽量であって輸送作業を効率良く行うことができると共に、紙製フラップ４の適所に紙管を横向きに配置した紙製緩衝部材１５が適数配されているので、被梱包物１００が前述したような精密機器であって、輸送途中の落下などにより衝撃が発生したとしても、その落下衝撃等を各紙製緩衝部材１５で緩衝、吸収して、被梱包物１００が故障、損傷するような虞れなく、信頼性の高い輸送、保管作業を実現することができる。
　また、使用後の空状態においては、紙製パレット４を胴部１から外すと共に、胴部１を折り畳んだコンパクトな状態で搬送することができ（図５参照）、適数回使用した後の廃棄、再利用も容易である。
【実施例２】
【００３２】
　図６、図７に示す紙製梱包容器は、実施例１の紙製梱包容器における蓋部材を胴部１と別体に形成したもので、それ以外の構成要素は実施例１と同様のため、重複する説明、図示を一部省略し、相違点のみ以下に説明する。
【００３３】
　すなわち、この例においては、胴部１’を四角筒状に形成された折り畳み自在な段ボール箱から形成すると共に、この胴部１’の上面開口部２１を塞ぐ紙製の蓋部材２’を別途備えている。
【００３４】
　蓋部材２’は、胴部１’の四側面の上縁近傍に形成された連結孔２２に対応する連結孔２３を有し、それら連結孔２２，２３同士をジョイント部材で連結して、胴部１の上面開口部２１に対し着脱自在に装着されるようになっている。
　また、それら連結孔２２，２３同士を連結するための上側のジョイント部材は、前記したジョイント部材（下側のジョイント部材）１９と共通の部材としている
【００３５】
　よって、この例の紙製梱包容器によれば、実施例１による利点に加え、使用後の空状態においては、胴部１’から蓋部材２’と紙製パレット４を外すと共に、折り畳んだ胴部１’を紙製パレット４内に収容し、該紙製パレット４を蓋部材２’で閉蓋した後、上側又は下側のジョイント部材１９で連通孔１８，２３同士を連結して、胴部１’、蓋部材２’、紙製パレット４を一組にまとめた極めてコンパクトな状態で搬送することができる（図７参照）。
【００３６】
　以上、本考案に係る紙製梱包容器と紙製パレットの実施形態の例を図面を参照して説明したが、本考案は図示例に限定されるものではなく、実用新案登録請求の範囲の各請求項に記載された技術的思想の範疇において、種々の変更が可能であることは言うまでもない。
【図面の簡単な説明】
【００３７】
【図１】本考案に係る紙製梱包容器の実施形態の一例を示す分解斜視図。
【図２】本考案に係る紙製パレットの実施形態の一例を示す分解斜視図。
【図３】本考案に用いられる紙製緩衝部材の例を示す斜視図。
【図４】図１に示す紙製梱包容器の使用状態を示す斜視図。
【図５】図１に示す紙製梱包容器を折り畳んで搬送する状態を示す斜視図。
【図６】本考案に係る紙製梱包容器の実施形態の他例を示す分解斜視図。
【図７】図６に示す紙製梱包容器を折り畳んで搬送する状態を示す斜視図。
【符号の説明】
【００３８】
　　１，１’：胴部
　　２：蓋フラップ（蓋部材）
　　２’：蓋部材
　　４：紙製フラップ
　　１０：天板
　　１１：底板
　　１２，１３：桁部材
　　１４，１４’：紙製スペーサ部材
　　１５，１５’：紙製緩衝部材
　　１９：ジョイント部材
【図１】
0003100345.tif 000003
【図２】
0003100345.tif 000004
【図３】
0003100345.tif 000005
【図４】
0003100345.tif 000006
【図５】
0003100345.tif 000007
【図６】
0003100345.tif 000008
【図７】
0003100345.tif 000009